(57)【特許請求の範囲】
【請求項１】
参照電位と接続される信号部（ＳＴ）を含む集積回路（ＩＣ）を有する半導体本体と、基板上に配置され、半導体本体上に接続された接触表面（ＢＰ）を介して前記集積回路に結合されるアンテナの構造とを有し、前記アンテナ（ＡＮ）は、前記集積回路（ＩＣ）の入力キャパシタとともに直列共振回路を形成し、動作エネルギを高周波電磁搬送フィールドから協動的に引き出すパッシブトランスポンダのアンテナ共振回路におけるエネルギロスを低減する方法であって、
前記接触表面（ＢＰ）と前記参照電位間の電流経路を形成する、寄生キャパシティブ要素及び寄生レジスティブ要素を減少させ、前記アンテナ共振回路のＱ値を増大するために,キャパシティブ要素とレジスティブ要素の直列接続及び並列接続を用いて、前記電流経路を第１電流経路と該第１電流経路と並列な第２電流経路に少なくとも１点で分岐し、前記第１電流経路においては、第１キャパシタ（Ｃ３Ａ）が第１レジスタ（ＲＳＡ３）に直列に接続され、前記第２電流経路においては、第２キャパシタ（Ｃ２Ａ、Ｃ４Ａ）が第２レジスタ（ＲＳＡ、ＲＳＡ４）に直列に接続され、前記第１キャパシタ（Ｃ３Ａ）が、前記第２キャパシタ（Ｃ２Ａ，Ｃ４Ａ）より高いＱ値を提供し、前記第１レジスタ（ＲＳＡ３）が前記第２レジスタ（ＲＳＡ，ＲＳＡ４）より低いレジスタンスを提供する
方法。
【請求項２】
前記第２キャパシタより高いＱ値を提供する第３キャパシタ（Ｃ５Ａ）が第１電流経路、および第２電流経路に直列に接続される請求項１記載の方法。
【請求項３】
前記第１キャパシタ（Ｃ３Ａ）、又は前記第２キャパシタ（Ｃ２Ａ，Ｃ４Ａ）より高いキャパシタンスを提供する第４キャパシタ（Ｃ１Ａ）が第１電流経路、および第２電流経路に直列に接続される請求項１または２記載の方法。
【請求項４】
前記第１キャパシタの値が２〜３ｆＦである請求項１〜３のいずれか１項記載の方法。
【請求項５】
前記第１キャパシタはショットキダイオードで形成される請求項１〜４のいずれか１項記載の方法。
【請求項６】
前記第４キャパシタ（Ｃ１Ａ）は、接触表面（ＢＰ）の下方の絶縁層（ＡＬＢ２）中に導電層を挿入することで形成された請求項３記載の方法。
【請求項７】
アンテナ（ＡＮ）を集積回路（ＩＳ）に接続するための接触面（ＢＰ）としての第１の導電層（ＡＬＢ１）と、絶縁層（ＩＳＯ）と、第１の導電型を有する第１の領域（Ｄ１）と、第２の導電型を有する第２の領域（Ｄ２）と、基準電位を有するコンタクト（ＡＬＫ）を半導体基板に接続する第２の導電型を有する第３の高不純物添加領域（Ｄ２Ｐ）とを有する半導体構造において、
前記第１の導電層（ＡＬＢ１）よりも横方向に長い他の導電層（ＡＬＢ２）が、前記絶縁層（ＩＳＯ）内に配置され、
前記他の導電層（ＡＬＢ２）は、ショットキダイオードを構成するように前記第１の領域（Ｄ１）と接続され、
前記第１の領域（Ｄ１）は、前記第３の領域（Ｄ２Ｐ）を囲んでいる半導体構造。
【請求項８】
前記第１の領域（Ｄ１）に囲まれ、前記導電層（ＡＬＢ２）のコネクタ領域の下に配置される第２の導電型を有する第４の領域（Ｄ２ＰＰ）をさらに有し、前記他の導電層（ＡＬＢ２）は、ショットキダイオードを構成するように前記第１の領域（Ｄ１）に接続される代わりに、前記第４の領域（Ｄ２ＰＰ）に接続され、前記第４の領域は前記第３の領域とダイオードを形成する請求項７記載の半導体構造。
【発明の詳細な説明】
【０００１】
【発明の属する技術分野】
本発明は、パッシブトランスポンダのレゾナンス（共振）回路の同調方法に関し、より詳しくは、作動エネルギを高周波電磁搬送フィールドから吸収変調で引き出すパッシブトランスポンダの共振回路の同調方法に関する。
【０００２】
【従来の技術】
パッシブトランスポンダは、無線通信における身分照明（ＲＦＩＤ）分野で用いられる。この目的のために、通信基地局から送信される搬送波（ｃａｒｒｉｅｒ  ｗａｖｅ）は、トランスポンダで変調される。パッシブトランスポンダは、電源装置を有していない為、パッシブトランスポンダ用集積回路のエネルギは、吸収変調（ａｂｓｏｒｐｔｉｏｎ  ｍｏｄｕｌａｔｉｏｎ）により、搬送波から引き出される必要がある。
【０００３】
現在使用されている１２５ｋＨｚのパッシブシステムでは、これは誘導結合による電磁近界（ニアフィールド）領域により達成される。この方法によるエネルギの搬送距離は、数ｃｍから０．５ｍ程度であり、現行の高周波（ＨＦ）国家規制に依存している。身分照明技術におけるセキュリティ向上の要請が高まるに連れて、短い身分照明時間を保つ為に今までよりも更に高いデータ伝送レートが必要とされている。これは、ＵＨＦ（８６８ＭＨｚ）又はマイクロウェーブ（２．４５ＧＨｚ）範囲での高搬送周波数でのみ実現可能である。
【０００４】
これらの周波数では、通常、双極（ダイポール）アンテナが使用される。この分野での、開発目標は、基地局の送信電力を許容範囲内に抑えながらパッシブシステムを用いて長距離伝送を可能にすることである。
【０００５】
周知の高周波（ＨＦ）技術より、ＲＦＩＤハンドブック第２版（２０００年）の第１２１頁の例にあるように、送信機のフィールドからエネルギを引き出す為には、双極アンテナの長さは、送信機の波長にあわせる必要がある事が知られている。受信した電磁波は、インピーダンスをアンテナの設計により決まる電磁波のインピーダンスに合わせる事により、完全に吸収される。
【０００６】
トランスポンダのアンテナが、送信機よりかなり離れた位置にある場合は、単純な整流によってトランスポンダの電源電圧を発生させるには、得られるアンテナ電圧は低すぎる。ヨーロッパ諸国の高周波規制の為、現存するＵＨＦトランスポンダの有効距離は１ｍ未満である。
【０００７】
【発明が解決しようとする課題】
本発明の目的は、高周波電磁転送フィールドの場合、パッシブトランスポンダの有効距離を増加させるパッシブトランスポンダのアンテナレゾナンス回路の同調方法を提供することである。
【０００８】
また、本発明の他の目的は、上記の方法を実施できる半導体構造を提供することである。
【０００９】
【課題を解決するための手段】
本発明の１観点によれば、
参照電位と接続される信号部（ＳＴ）を含む集積回路（ＩＣ）を有する半導体本体と、基板上に配置され、半導体本体上に接続された接触表面（ＢＰ）を介して前記集積回路に結合されるアンテナの構造とを有し、前記アンテナ（ＡＮ）は、前記集積回路（ＩＣ）の入力キャパシタとともに直列共振回路を形成し、動作エネルギを高周波電磁搬送フィールドから協動的に引き出すパッシブトランスポンダのアンテナ共振回路におけるエネルギロスを低減する方法であって、
前記接触表面（ＢＰ）と前記参照電位間の電流経路を形成する、寄生的キャパシティブ要素及び寄生的レジスティブ要素を減少させ、前記アンテナ共振回路のＱ値を増大するために,キャパシティブ要素とレジスティブ要素の直列接続及び並列接続を用いて、前記電流経路を第１電流経路と該第１電流経路と並列な第２電流経路に少なくとも１点で分岐し、前記第１電流経路においては、第１キャパシタ（Ｃ３Ａ）が第１レジスタ（ＲＳＡ３）に直列に接続され、前記第２電流経路においては、第２キャパシタ（Ｃ２Ａ、Ｃ４Ａ）が第２レジスタ（ＲＳＡ、ＲＳＡ４）に直列に接続され、前記第１キャパシタ（Ｃ３Ａ）が、前記第２キャパシタ（Ｃ２Ａ，Ｃ４Ａ）より高いＱ値を提供し、前記第１レジスタ（ＲＳＡ３）が前記第２レジスタ（ＲＳＡ，ＲＳＡ４）より低いレジスタンスを提供する
方法が提供される。
【００１０】
本発明の他の観点によれば、
アンテナ（ＡＮ）を集積回路（ＩＳ）に接続するための接触面（ＢＰ）としての第１の導電層（ＡＬＢ１）と、絶縁層（ＩＳＯ）と、第１の導電型を有する第１の領域（Ｄ１）と、第２の導電型を有する第２の領域（Ｄ２）と、基準電位を有するコンタクト（ＡＬＫ）を半導体基板に接続する第２の導電型を有する第３の高不純物添加領域（Ｄ２Ｐ）とを有する半導体構造において、
前記第１の導電層（ＡＬＢ１）よりも横方向に長い他の導電層（ＡＬＢ２）が、前記絶縁層（ＩＳＯ）内に配置され、
前記他の導電層（ＡＬＢ２）は、ショットキダイオードを構成するように前記第１の領域（Ｄ１）と接続され、
前記第１の領域（Ｄ１）は、前記第３の領域（Ｄ２Ｐ）を囲んでいる
半導体構造
が提供される。
【００１１】
これによれば、本発明の要点は、トランスポンダの入力段にもっぱら設けられる集積回路の電源電圧を発生させる為の直列共振回路により、パッシブトランスポンダに、高周波電界から容量結合的に作動エネルギを吸収させることにより、有効距離を増加させることである。接触表面（ＢＰ）と参照電位間の電流経路を形成する寄生キャパシティブ部及び寄生レジスティブ部を減少させ、アンテナ共振回路のクオリティ（Ｑ）を増加させる。アンテナ共振回路は、参照電位と接続される信号部（ＳＴ）を含む集積回路（ＩＳ）を有する半導体本体と、基板上に配置され半導体本体上に接続された接触表面（ＢＰ）を介して前記集積回路に連結するアンテナ構造とを有し、前記アンテナ（ＡＮ）は、前記集積回路（ＩＳ）の入力キャパシタとともに直列共振回路を形成する。
【００１２】
この方法の長所は、上記の直列共振回路により非常に低いアンテナ電圧から発生する高い電圧値が、接触表面に接続される寄生キャパシティブ部及び寄生レジスティブ部によって吸収されない点である。よって、アンテナで吸収された電力は、集積回路の入力段で電源電圧を発生させるために用いることが出来る。直列共振回路のみが非常に低いインダクタンスを有しているので、接触表面のキャパシティブ部（虚数部）を減少させることにより、信号部のクオリティを高めることが出来る。パッシブＲＦＩＤにおいては、トランスポンダの受信部の効率の向上により、有効距離を格段に伸ばすことが出来る。
【００１３】
上記の方法の発展形としては、接触表面と基準電位間の少なくとも一点において、キャパシティブ部とレジスティブ部の直列接続及び並列接続を用いて、電流経路を第１経路と第２経路に分岐させることが効果的である。よって、低クオリティの容量が好ましくは数ｆＦ（１０-15Ｆ）程度の低キャパシタンスの並列接続と、高クオリティの容量が好ましくは数ｆＦ程度の低キャパシタンスの並列接続とが高クオリティの第１のキャパシタンスに接続される。
【００１４】
上記の方法の他の発展形としては、ダイオードの製造に必要とされるｐｎ接合は、集積回路の製造工程で容易に実現することができるので、上記の低キャパシタンスをダイオードを用いて形成する。また、空間的に結合されたｐｎ接合は低容量で製造することができる。さらに、高いクオリティが要求される第１のキャパシタンスを接触表面の下に配置される絶縁層に導電層を埋め込むことで形成すると良い。
【００１５】
【発明の実施の形態】
図１に示すＨＦ等価回路の回路図は、基地局（図示せず）の高周波電磁搬送フィールドからエネルギを吸収して引き出すパッシブトランスポンダＴＲの受信部の構成を表す。トランスポンダＴＲは、共通のパッケージ（図示せず）に配置されるアンテナＡＮと集積回路ＩＳにより構成される。
【００１６】
アンテナＡＮは、接触表面ＢＰとボンディングワイヤーにより、集積回路ＩＳに接続され、接触表面ＢＰが信号部ＳＴと接続される。アンテナＡＮは、接触表面ＢＰと信号部ＳＴとで構成される並列接続に直列に接続される。
【００１７】
例えば、倍電圧回路を含む信号部ＳＴの機能は、アンテナＡＮにより吸収されたエネルギを用いて集積回路ＩＳの電源電圧を発生させることである。
【００１８】
以下に、等価回路の回路構成を詳述する。アンテナＡＮは、基準電位に接続される交流電圧発生部ＧＡ、及び直列抵抗ＲＡを含んで構成される。さらに、直列抵抗ＲＡは、コイルＬ１と接続され、コイルＬ１は、接触表面ＢＰと信号部ＳＴの並列接続に直列接続される。
【００１９】
接触表面ＢＰは、キャパシタ（コンデンサー）ＣＰと、基準電位に接続される抵抗ＲＰを有する直列接続を含んで構成される。信号部ＳＴは、キャパシタ（コンデンサー）ＣＳと、基準電位に接続される負荷抵抗ＲＳの直列接続により表すことができる。
【００２０】
以下に、上記の等価回路の主要動作を説明する。交流電圧発生部ＧＡは、アンテナＡＮにより吸収されるエネルギを表す。基地局（図示せず）の搬送フィールドからアンテナが吸収したエネルギが、抵抗ＲＡ、コイルＬ１、キャパシタＣＰ、ＣＳ及抵抗ＲＰ、ＲＳにより形成される直列共振回路を、交流電圧の形で励起する。
【００２１】
励起中にアンテナＡＮで生じる損失（ｌｏｓｓ）は、抵抗ＲＡによって生じ、アンテナでの電流電圧間の位相変化はコイルＬ１により生じる。交流電圧の説明では、損失は実数部として表され、位相変化は虚数部として表される。
【００２２】
また、接触表面ＢＰは、キャパシタＣＰによって生じる虚数部と、抵抗ＲＰによって生じる実数部を有する。信号部ＳＴもまた、キャパシタＣＳによって生じる虚数部と、抵抗ＲＳによって生じる実数部を有する。
【００２３】
電磁フィールドから吸収したエネルギから、可能な限りの最大電圧を発生させるためには、直列共振回路の共振周波数は、８６８ＭＨｚ若しくは２．４５ＧＨｚのいずれか１つの搬送周波数に同調（チューニング）される。トムソン効果の公式によって決められる共振条件に従い、２つのキャパシタＣＰ及びＣＳの合計容量とコイルＬ１のインダクタンスは、共振条件に添ったものでなければならない。
【００２４】
数μＶ程度である交流電圧発生部ＧＡの励起電圧は、直列共振回路のクオリティ（Ｑ）に比例して過度に上昇する。大きな過電圧を得るためには、実数部の合計である減衰を低くしなければならない。また、搬送フィールドから引き出したエネルギのすべてを、高電圧レベルの信号部ＳＴの電源電圧を発生させるために用いるためには、インダクタンスとキャパシタンスの虚数部の比率を高くしなければならない。
【００２５】
コイルＬ１のインダクタンス値が低いので、直列共振回路を搬送周波数の共振周波数に同調するためには、キャパシタＣＰとＣＳのキャパシタンス値をフェムト（ｆ）レンジ（１０-15程度）の非常に低い値にしなければならない。すなわち、接触表面ＢＰに接続されるキャパシタンスＣＰ（虚数部分）は、減らされなければならない。
【００２６】
さらに、直列共振回路において高クオリティを達成するため、及び集積回路ＩＳの電源電圧を発生させるために吸収したエネルギを、抵抗ＲＳによって表される信号部ＳＴが利用できるようにするためには、接触表面ＢＰに接続される実数部を非常に小さくしなければならない。
【００２７】
図２（ａ）は、最新の従来例による集積半導体構成中の接触表面の断面図を示す。参照記号ＤＡは、対称軸を表す。すなわち、図示の断面図は、対称軸ＤＡにおいて、線対称である。接触表面ＢＰの機能は、アンテナＡＮに集積回路ＩＳへの接続面を提供することである。
【００２８】
図２（ａ）の断面図の構成を交流電圧の概念を単純化して以下に説明する。接触表面ＡＬＢ１をその下面に形成される第１の導電型を有する低不純物添加領域Ｄ１から絶縁する絶縁層ＩＳＯは、最上層の金属層である接触表面ＡＬＢ１の下のシリコンからなる半導体基板上に形成される。
【００２９】
領域Ｄ１に隣接する、通常基板ドーピングと表される、第２の導電型を有する低不純物添加領域Ｄ２は、基準電位を表し、第２の導電型を有する高不純物添加領域Ｄ２Ｐにより、コンタクトＡＬＫに接続されている。集積回路ＩＳの製造における適切なプロセスの信頼性を確保するためには、数１０μｍ範囲の大きな最低距離ａ１が、接触表面ＡＬＢ１とコンタクトＡＬＫの間に保たれる必要がある。また、この距離ａ１は、領域Ｄ１と領域Ｄ２Ｐの間の領域Ｄ２の長さを画定する。
【００３０】
交流電圧の概念を単純化すると、接触表面と領域Ｄ１による積層の組は、キャパシタンス値ＣＰのキャパシタに対応するとともに、基板ドーピングと反対の導電型を有する低不純物添加領域Ｄ１は、接触表面のキャパシティブな寄与分ＣＰをあまり増大させないという効果を有する。抵抗ＲＰは、キャパシタＣＰと直列に配置され、低い不純物添加濃度と併せて領域Ｄ２の長い距離により高い値を有する。
【００３１】
図２（ｂ）に示すＨＦ等価回路の回路図を用いて、図２（ａ）に示す積層構造の交流電圧を以下に説明する。接触表面ＡＬＢ１と領域Ｄ１は、キャパシタンスＣ１を有するキャパシタを構成する。その後段には、領域Ｄ１及びＤ２境界面によって形成されるダイオードＤＤ１Ｄ２と、ダイオードＤＤ１Ｄ２とコンタクトＡＬＫとの間の領域Ｄ２の長さによって画定される抵抗ＲＳ１が配置される。
【００３２】
このＨＦ等価回路においては、ダイオードＤＤ１Ｄ２は、抵抗ＸＲＣ２とキャパシタＣ２の並列接続及びそれに直列に接続される抵抗ＲＳＣ２によって構成されている。合計キャパシタンスＣＰは、キャパシタンス値Ｃ１とＣ２の合計によって定められ、直列抵抗ＲＰは、抵抗ＲＳＣ２とＲＳ１の合計により与えられる。領域Ｄ１の低不純物濃度及びキャパシタンスＣ１およびＣ２の直列接続にもかかわらず、領域Ｄ１が大きく、また、ダイオードＤＤ１Ｄ２の境界面が非常に大きいので、キャパシタンス値ＣＰは、非常に大きく、４０ｆＦ程度である。
【００３３】
大きな境界面の結果として、領域Ｄ１の低不純物濃度にかかわらず、抵抗ＸＲＣ２と抵抗ＲＳＣ２は小さい。すなわちキャパシタンスが大きな損失を蒙っている。一方、領域Ｄ２が非常に長くまた低不純物濃度であるために、抵抗ＲＳ１、従って抵抗ＲＰは、とても大きい。実数部の寄与分がこのように大きいため、アンテナによって吸収されたエネルギの大部分は、接触表面の通過により失われてしまう。
【００３４】
さらに、大きなキャパシタンス値は、虚数部を増大させ、低インダクタンス値と合わさり、共振回路の共振周波数を搬送周波数に合わせることを困難にしている。エネルギの浪費を許容範囲内に抑えながら、エネルギレンジを増大させることは、接触構造に接続される実数部分と虚数部分を劇的に減少させなければ達成することはできない。
【００３５】
図３（ａ）は、本発明の実施例による方法を実現する積層構造を示す。この積層構造は、従来の集積回路の製造方法によりながら、有利な積層構造により、接触表面に接続される実数部及び虚数部を非常に減少させたものであり、よって、信号部ＳＴの寄与分を直列共振回路の物理的パラメータが決定する。
【００３６】
図２を参照して説明したように、軸ＤＡは、鏡面対称軸である。この構成の説明は、図２を用いた説明に加えてなされるものであり、図２との相違点のみを以下に説明する。
【００３７】
接触表面ＡＬＢ１の下方の絶縁層内に良好な分離を達成するために、接触表面ＡＬＢ１のサイズに合わせた第２導電層ＡＬＢ２が導入される。層ＡＬＢ２は、領域Ｄ１と部分的に接触し、よって、ショットキ（Ｓｃｈｏｔｔｋｙ）ダイオードＤＡＬＢ２Ｄ１を形成する。領域Ｄ１は、コンタクトＡＬＫのコネクタドーピング（接続用不純物添加領域）となっている領域Ｄ２Ｐを完全に囲い込む。
【００３８】
図２（ａ）の距離ａ１とは対照的に、コンタクトＡＬＫと導電層ＡＬＢ２の距離ａ２は、非常に短くなっており、約１μｍ程度である。領域Ｄ１の長さは、層ＡＬＢ２の接触表面の幅と層ＡＬＢ２とコンタクト（基準電位接続点）ＡＬＫとの距離である距離ａ２によって決められる。ＨＦ等価回路中の電流経路を説明するために、互いに並列に接続された電流経路１と電流経路２が区別されている。
【００３９】
図３（ｂ）は、本実施例の積層構造の変形例を示す。この変形例では、図３（ａ）に示すショットキダイオードＤＡＬＢ２Ｄ１に代えて、金属導電層ＡＬＢ２の接触表面の下に追加領域Ｄ２ＰＰを配置することにより、標準型のダイオードＤＤ２ＰＰＤ１を形成している。ショットキダイオードの代わりに、従来型のダイオードが、領域Ｄ２ＰＰと領域Ｄ１の境界面に形成される。
【００４０】
これは、それほど高クオリティのＨＦ特性が必要でなければ、製造工程における金属化工程で金属半導体接触が不可能な場合に有利である。不純物添加領域Ｄ２ＰＰとＤ１の境界面が小さい結果として、ダイオードＤＤ２ＰＰＤ１は小さいキャパシタンス値を有する。また、領域Ｄ１の長さも、実質的に変化しない。図３（ｃ）に示すＨＦ等価回路においては、ダイオードＤＤ２ＰＰＤ１の等価回路は、図３（ａ）のショットキダイオードＤＡＬＢ２Ｄ１に対応する。
【００４１】
図３（ｃ）に示すＨＦ等価回路は、図３（ａ）に示す積層構造を表す。接触表面ＡＬＢ１と層ＡＬＢ２は、層ＩＳＯと併せてキャパシタンスＣ１Ａを形成する。それに直列接続されて、電流経路１と電流経路２からなる並列接続が、配置されている。
【００４２】
電流経路１は、ショットキダイオードＤＡＬＢ２Ｄ１を含む。この等価回路図においては、ショットキダイオードＤＡＬＢ２Ｄ１は、並列に配置された抵抗ＸＲＣ３ＡとキャパシタＣ３Ａ及びその並列接続に直列接続される抵抗ＲＳＡ３を有する。高クオリティかつ低キャパシタンスは、金属半導体コンタクトにより達成される。
【００４３】
層ＡＬＢ２と領域Ｄ２に、層ＩＳＯを併せて形成されるキャパシタンスＣ２Ａは、電流経路２に形成され,抵抗ＲＳＡに直列接続される。抵抗ＲＳＡは、領域Ｄ２の層抵抗によって画定され、領域Ｄ１とＤ２の境界面により形成されるダイオードＤＤ２Ｄ１に直列接続される。
【００４４】
この等価回路図においては、ダイオードＤＤ２Ｄ１は、並列に接続された抵抗ＸＲＣ４ＡとキャパシタンスＣ４Ａ及びその並列接続に直列接続で配置される抵抗ＲＳＡ４を有する。
【００４５】
両方の電流経路は、横方向の長さが短いために無視できる程度の抵抗を有する層Ｄ１を通過する。ダイオードＤＤ１Ｄ２Ｐが、その後段に直列接続で配置される。この等価回路図においては、ダイオードＤＤ１Ｄ２Ｐは、抵抗ＸＲＣ５Ａと並列に接続されるキャパシタンスＣ５Ａ及びその並列接続に直列接続で配置される抵抗ＲＳＡ５を有する。
【００４６】
ここで、領域Ｄ２Ｐの小さい境界面と高い不純物濃度の結果として、キャパシタンスＣ５Ａは、低消費抵抗と高クオリティを有する。また、コンタクトＡＬＫは、抵抗ＲＳによって表され、該抵抗は、金属導電層であるため非常に低いものとなっている。
【００４７】
主要動作を以下に説明する。キャパシタとして寄与する接触表面の虚数部分を削減するために、高クオリティで、小さいキャパシタンスＣ３ＡとＣ５Ａが、電流経路１の大きいキャパシタンスＣ１Ａに直列接続される。具体的には、ショットキダイオードの等価回路から導かれるキャパシタンスＣ３Ａは、数ｆＦ程度の非常に小さいキャパシタンスを有する。また、直列抵抗による損失である実数部もまた、金属導電層ＡＬＢ２及びＡＬＫの双方の寄与分が無視できるほどであるので、電流経路１においては可能な限り削減されている。
【００４８】
さらに、領域Ｄ１の寄与分を有する直列抵抗も、距離ａ２が非常に短いため、とても小さくなっている。さらに、電流経路２に配置される直列抵抗ＲＳＡを、電流経路１に配置される金属導電層ＡＬＢ２の直列抵抗に比べて、低い不純物濃度により、高くすることが可能である。しかし、経路２は経路１と並列に接続されているので、電流経路２の比較的大きい実数部は抑制されている。
【００４９】
また、領域Ｄ１とＤ２の低い不純物濃度の結果として、キャパシタＣ４Ａのキャパシタンスは、比較的大きな境界面にかかわらず低い。また、同時に、キャパシタＣ４Ａは、ショットキダイオードによるキャパシタンスＣ３Ａに比べて、非常に低いクオリティを有している。虚数部への寄与は、従って電流経路２により抑制されている。
【００５０】
従って、電流経路２を流れるＨＦ電流は無視することができる。トータルとして、電流経路１に配置される構成の小さい実数部及び虚数部は、接触表面の直列共振回路の実数部及び虚数部への寄与分を決定する。接触表面の寄与分が極めて低いので、集積回路ＩＳの信号部ＳＴによる寄与分に比べると無視してもよい。
【００５１】
図３（ｂ）に示す積層構造の個々の構成にはなんら異なるところが無いので、図３（ｃ）を参照して行った説明は、図３（ｂ）に示す積層構造についても同様に適用することができる。
【００５２】
以上実施例に沿って本発明を説明したが、本発明はこれらに制限されるものではない。例えば、種々の変更、改良、組み合わせが可能なことは当業者にとって自明であろう。
【００５３】
【発明の効果】
本発明によれば、高周波電磁搬送フィールドである場合に、パッシブトランスポンダの有効距離を増加させるパッシブトランスポンダのアンテナレゾナンス回路の同調方法を提供することができる。
【００５４】
また、本発明によれば、上記の方法を実行する為の半導体構造を提供することができる。
【図面の簡単な説明】
【図１】  トランスポンダの入力部のＨＦ等価回路の回路図である。
【図２】  図２（ａ）は、従来例による集積半導体構造内のアンテナコネクターの接触表面の断面図であり、図２（ｂ）は、図２（ａ）に示す接触表面のＨＦ等価回路の回路図である。
【図３】  図３（ａ）は、接触表面に接続される実数及び虚数部分をショットキダイオードを用いて減少させたアンテナコネクターの接触表面の断面図であり、図３（ｂ）は、図３（ａ）のショットキダイオードに代えて従来のダイオードを用いた場合の断面図であり、図３（ｃ）は、図２（ａ）に示す接触表面のＨＦ等価回路の回路図である。
【符号の説明】
ＡＬＢ…接触表面層
ＡＬＫ…コンタクト
ＡＮ…アンテナ
ＢＰ…接触表面
ＣＰ、ＣＳ、Ｃ１〜５Ａ…キャパシタ
Ｄ１、Ｄ２、Ｄ２Ｐ、Ｄ２ＰＰ…不純物添加領域
ＤＡＬＢ２Ｄ１、ＤＤ２Ｄ１、ＤＤ１Ｄ２Ｐ、ＤＤ２ＰＰＤ１…ダイオード
ＧＡ…交流電圧発生部
ＩＳ…集積回路
Ｌ１…コイル
ＲＡ、ＲＰ、ＲＳ、ＲＳＡ…抵抗
ＳＴ…信号部
ＴＲ…パッシブトランスポンダ
ＸＲＣ１〜５Ａ…抵抗
【図１】
0004098562.tif 000002
【図２】
0004098562.tif 000003
【図３】
0004098562.tif 000004